(57)【特許請求の範囲】
【請求項１】
製氷機本体に形成された氷取出口を開閉する縦開きのドアがドアストッパにより開放状態で保持される自動製氷機において、
ドアは、その周縁に折り返し部が形成されたドアパネルと、このドアパネルの折り返し部内に挿入され固定されるドアフレームとを備え、
ドアストッパが前記ドアフレームに固定されることを特徴とする自動製氷機のドア構造。
【請求項２】
前記ドアパネル内に充填された断熱用の発泡樹脂材を備えたことを特徴とする請求項１に記載の自動製氷機のドア構造。
【請求項３】
前記ドアパネルの折り返し部は、前記ドアパネルの前面部の周縁からほぼ直角に屈曲された側面部と、この側面部からさらにほぼ直角に屈曲された後面部とからなり、前記ドアフレームは、前記ドアパネルの前面部と後面部との間に挟まれることを特徴とする請求項２に記載の自動製氷機のドア構造。
【請求項４】
前記ドアフレームは、前記ドアパネルの側面部との間に所定の間隔を隔てて位置されると共に発泡樹脂原料を通すための流通孔を有することを特徴とする請求項３に記載の自動製氷機のドア構造。
【請求項５】
前記ドアパネルの前面部は矩形であり、前記ドアフレームは前記ドアパネルの前面部の互いに直交する二辺に沿うように直角に屈曲していることを特徴とする請求項１〜４のいずれか一項に記載の自動製氷機のドア構造。
【請求項６】
前記ドアフレームはＬ字形の断面形状を有することを特徴とする請求項５に記載の自動製氷機のドア構造。
【発明の詳細な説明】
【０００１】
【発明の属する技術分野】
この発明は、自動製氷機のドア構造に関し、特に縦開きのドアの構造に関するものである。
【０００２】
【従来の技術】
図１１に、従来の自動製氷機における縦開きのドアの取り付け構造を示す。製氷機本体の前面には製造された氷を取り出すための氷取出口が開口しており、この氷取出口を開閉するドア１が製氷機本体の支柱２にヒンジ３を介して取り付けられている。ドア１の裏面上にはドアストッパ４の一端がヒンジ５により連結され、このドアストッパ４は製氷機本体の支柱２に形成された孔６を通り、その他端に引掛け部７が形成されている。
通常、ドア１は製氷機本体の氷取出口を閉じるように直立した状態に位置しているが、製氷機本体内から氷を取り出す際には、ドア１がヒンジ３を中心として手前に回動される。そして、図１１に示されるように、ドアストッパ４の引掛け部７が支柱２の裏面に係合することにより、ドア１は開放状態で保持される。
【０００３】
【発明が解決しようとする課題】
このように、ドア１を開放して製氷機本体内から氷を取り出すが、このとき取り出された氷を開放状態のドア１の上に載せることがあり、ドア１の裏面上にヒンジ５を介してドアストッパ４を連結した構造では、ドア１を開放状態に保持するのに十分な強度を確保することができなかった。
この発明はこのような問題点を解消するためになされたもので、十分な強度を有する自動製氷機のドア構造を提供することを目的とする。
【０００４】
【課題を解決するための手段】
この発明に係る自動製氷機のドア構造は、製氷機本体に形成された氷取出口を開閉する縦開きのドアがドアストッパにより開放状態で保持される自動製氷機において、ドアは、その周縁に折り返し部が形成されたドアパネルと、このドアパネルの折り返し部内に挿入され固定されるドアフレームとを備え、ドアストッパがドアフレームに固定されたものである。
ドアパネル内に充填された断熱用の発泡樹脂材を備えることができる。また、ドアパネルの折り返し部は、ドアパネルの前面部の周縁からほぼ直角に屈曲された側面部と、この側面部からさらにほぼ直角に屈曲された後面部とからなり、ドアフレームが、ドアパネルの前面部と後面部との間に挟まれるようにすることもできる。さらに、ドアフレームをドアパネルの側面部との間に所定の間隔を隔てて位置させ、このドアフレームに発泡樹脂原料を通すための流通孔を形成することができる。
ドアパネルの前面部を矩形とし、ドアフレームをドアパネルの前面部の互いに直交する二辺に沿うように直角に屈曲させてもよい。さらに、ドアフレームをＬ字形の断面形状を有するように形成することもできる。
【０００５】
【発明の実施の形態】
以下、この発明の実施の形態を添付図面に基づいて説明する。
図１にこの発明の実施の形態に係る自動製氷機のドアの裏面を示す。このドアは、図示しない製氷機本体に開口された氷取出口を開閉するために製氷機本体に取り付けられる縦開きのドアであり、ドアパネル１１と、ドアパネル１１の裏側に設けられたドアパック１２とを有している。ドアパック１２の内部には図示しない断熱材が充填されている。ドアパネル１１の裏面には、その周に沿ってパッキン１３が設けられている。このパッキン１３は、ドアを閉じたときに製氷機本体の氷取出口の周縁部をドアで密封するためのものである。ドアパネル１１の下端にはこのドアを製氷機本体に傾動自在に取り付けるためにヒンジ１４が装着されている。また、製氷機本体に取り付けられたドアを開放状態に保持する一対のドアストッパ１５がドアパネル１１の裏面下部の両側部から突設されている。
【０００６】
図２に示されるように、ドアパネル１１の内部に一対のドアフレーム１６が固設され、これらのドアフレーム１６にそれぞれドアストッパ１５の基部が固定されている。
図３に示されるように、ドアパネル１１は、一対の長辺と一対の短辺とを有する矩形の前面部１７と、前面部１７の４辺からそれぞれ前面部１７の裏面側へほぼ直角に屈曲された側面部１８と、各側面部１８からさらに内方へほぼ直角に屈曲された後面部１９とを備えており、側面部１８及び後面部１９により前面部１７の周縁に折り返し部２０が形成されている。一対の短辺側の後面部１９にはそれぞれドアストッパ１５が挿入される切り欠き２１が形成されている。
【０００７】
ドアフレーム１６は、ドアパネル１１の短辺側の側面部１８に沿う第１の直線部２２と、この第１の直線部２２から直角に屈曲されて長辺側の側面部１８に沿う第２の直線部２３とを含み、これら第１及び第２の直線部２２及び２３はそれぞれＬ字形の横断面形状を有するようにその長手方向に沿って直角に屈曲され且つドアパネル１１の前面部１７に平行な屈曲部２４及び２５を有している。ドアストッパ１５は、溶接、リベット、ボルト等により第１の直線部２２に固定され、ドアパネル１１の側面部１８と平行に位置する第１の直線部２２には発泡樹脂原料を通すための複数の流通孔２６が形成されている。
図４に示されるように、第１の直線部２２の屈曲部２４と第２の直線部２３の屈曲部２５とは、互いに異なる高さを有している。
また、左右のドアフレーム１６は、互いに左右対称に形成されている。
【０００８】
ドアストッパ１５がドアパネル１１の後面部１９の切り欠き２１内に入るようにドアフレーム１６をドアパネル１１の折り返し部２０内に挿入し固定する。このとき、図５及び図６（Ａ）に示されるように、ドアフレーム１６の第１の直線部２２とドアパネル１１の短辺側の側面部１８との間に１２ｍｍ程度の所定の間隔ｄ１が形成されるため、発泡樹脂材の漏れを防ぐ目的でドアパネル１１の折り返し部２０の隅に予め発泡スチロールから形成された直方体状の詰め部材２７を差し込んでおく。なお、図６（Ａ）に示されるように、第１の直線部２２はドアパネル１１の前面部１７と後面部１９との間に挟まれ、第１の直線部２２の屈曲部２４はドアパネル１１の前面部１７の裏面に接触している。また、図６（Ｂ）に示されるように、第２の直線部２３はドアパネル１１の長辺側の側面部１８に接触し、第２の直線部２３の屈曲部２５はドアパネル１１の前面部１７の裏面から例えばｄ２＝５ｍｍ程度離れている。ドアフレーム１６は、第２の直線部２３を例えばボルト２８を用いてドアパネル１１の長辺側の側面部１８に固定することにより、ドアパネル１１に取り付けられる。
【０００９】
このようにしてドアフレーム１６をドアパネル１１に取り付けた後、ドアパネル１１内に発泡樹脂原料を注入する。このとき、ドアフレーム１６の第１の直線部２２に複数の流通孔２６が形成されているため、図５及び図６（Ａ）に矢印で示されるように、発泡樹脂原料は流通孔２６を通り、第１の直線部２２とドアパネル１１の短辺側の側面部１８との間に形成されたスペース内にまで注入される。また、図６（Ｂ）に示されるように、ドアフレーム１６の第２の直線部２３の屈曲部２５とドアパネル１１の前面部１７の裏面との間に厚さｄ２＝５ｍｍ程度の隙間が形成されているが、この隙間にも発泡樹脂原料が注入される。
【００１０】
注入された発泡樹脂原料を発泡して発泡樹脂材を形成すると、この発泡樹脂材によりドアフレーム１６及びドアストッパ１５のドアパネル１１への固定が強固なものとなり、ドアストッパ１５は製氷機本体に取り付けられたドアを開放状態に保持するに十分な強度を有することとなる。また、発泡樹脂材は断熱材としても作用し、ドア全体の断熱性が確保される。特に、ドアフレーム１６の第２の直線部２３の屈曲部２５とドアパネル１１の前面部１７の裏面との間にも発泡樹脂材が形成されるため、断熱性が向上する。
なお、それぞれＬ字形の断面形状で互いに直角に屈曲した第１及び第２の直線部２２及び２３を有するドアフレーム１６を用いるため、ドアパネル１１の強度が向上し、また屈曲部２４及び２５の高さを互いに異なるものとしたため、ドアパネル１１のひねりに対して強い構造となっている。
【００１１】
また、ドアフレーム１６の第２の直線部２３の屈曲部２５とドアパネル１１の前面部１７の裏面とが直接接触せず、ドアパネル１１の長辺方向に延びるドアフレーム１６とドアパネル１１との接触部位が存在しないため、ドアパネル１１の波打ちの発生が防止される。
この実施の形態に係る自動製氷機のドアにおいては、ドアパネル１１の側面部１８の外面にドアストッパ１５及びドアフレーム１６の取り付け跡が何ら発生しないので、ドアとして見栄えのよい外観が得られる。
このドアは、ドアパネル１１を成形し、ドアパネル１１の折り返し部２０の隅に詰め部材２７を差し込んだ後、ドアストッパ１５が取り付けられたドアフレーム１６をドアパネル１１の折り返し部２０内に挿入して固定すればよいため、ライン同期により容易に組み立てを行うことが可能である。
【００１２】
他の実施の形態に係る自動製氷機のドアを図７〜９に示す。なお、図７〜９において、ドアパックは図示が省略されている。ドアパネル３１は、図１に示したドアパネル１１と同様に、４辺にそれぞれ折り返し部３２が形成されたほぼ矩形の形状を有している。ドアフレーム３３は、その上部の幅が広く且つ下部の幅が狭く形成された平面部３４と、平面部３４の両側端から直角に屈曲された直立部３５とを有している。幅の狭い平面部３４の下部の一側端から屈曲している直立部３５にドアストッパ３６が固着されている。直立部３５は、ドアパネル３１の折り返し部３２内部の厚さに等しい高さを有している。なお、平面部３４の上端及び下端には直立部が存在しない。
【００１３】
図７に示されるように、平面部３４の上部の直立部３５をドアパネル３１の短辺側の折り返し部３２内に挿入すると共に平面部３４の下端部をドアパネル３１の長辺側の折り返し部３２内に挿入し、この状態で平面部３４をドアパネル３１の裏面に溶接等により固定する。このとき、直立部３５に固着されたドアストッパ３６は、ドアパネル３１の折り返し部３２に形成された切り欠き３７内に挿入される。
発泡樹脂材の漏れを防ぐ目的でドアパネル３１の折り返し部３２内に発泡スチロールから形成された詰め部材を差し込み、この状態でドアパネル３１内に発泡樹脂原料を注入する。このとき、発泡樹脂原料は直立部が存在しない平面部３４の上端からドアフレーム３３内にも入り込む。そして、発泡樹脂原料を発泡して発泡樹脂材を形成すると、この発泡樹脂材によりドア全体の断熱性が確保されると共にドアフレーム３３及びドアストッパ３６のドアパネル３１への固定が強固なものになる。
【００１４】
なお、図１０（Ａ）に示されるように、ドアパネル４１の側面部４２との間に所定のスペースが形成されるように折り返し部４３内に、屈曲部を有しない平面状のドアフレーム４４を取り付け、このドアフレーム４４にドアストッパ４５を固着させることもできる。また、図１０（Ｂ）に示されるように、平面状のドアフレーム４４を折り返し部４３内においてドアパネル４１の側面部４２に接触させて固定し、このドアフレーム４４にドアストッパ４５を固着させてもよい。さらに、図１０（Ｃ）に示されるように、断面Ｌ字状のドアフレーム４６の屈曲部４７の先端がドアパネル４１の側面部４２に接触するようにドアフレーム４６を折り返し部４３内に取り付け、このドアフレーム４４にドアストッパ４５を固着させることもできる。また、図１０（Ｄ）に示されるように、平面状のドアフレーム４４を折り返し部４３内においてドアパネル４１の側面部４２の内面に接触させて固定し、ドアパネル４１の側面部４２の外面にドアストッパ４５を配置してこれをボルト４８によりドアフレーム４４に固定してもよい。
図１０（Ｂ）〜（Ｄ）に示した固定法によれば、ドアフレーム４４または４６がドアパネル４１の側面部４２の内面に接触するため、ドアフレームの位置決めが容易となる。
【００１５】
【発明の効果】
以上説明したように、この発明の自動製氷機のドア構造によれば、ドアパネルの周縁に形成された折り返し部内にドアフレームを挿入固定し、このドアフレームにドアストッパを固定するので、ドアストッパが強固にドアパネルに取り付けられたドアが得られる。このため、製氷機本体に取り付けられたドアを十分な強度でもって開放状態に保持することが可能となる。
【図面の簡単な説明】
【図１】  この発明の実施の形態に係る自動製氷機のドアの裏面を示す図である。
【図２】  図１のＡ−Ａ線断面図である
【図３】  実施の形態に係るドアの分解斜視図である。
【図４】  実施の形態に係るドアに用いられたドアフレーム及びドアストッパを示す側面図である。
【図５】  実施の形態に係るドアの発泡樹脂原料注入時の樹脂原料の流れを示す部分断面図である。
【図６】  （Ａ）は図５のＢ−Ｂ線断面図、（Ｂ）は図５のＣ−Ｃ線断面図である。
【図７】  他の実施の形態に係る自動製氷機のドアの裏面を示す図である。
【図８】  図７のドアの底面図である
【図９】  図７のドアの側面図である。
【図１０】  （Ａ）〜（Ｄ）はそれぞれ異なる変形例におけるドアストッパの取り付け構造を示す部分断面図である。
【図１１】  従来の自動製氷機における縦開きのドアの取り付け構造を示す部分断面図である。
【符号の説明】
１１、３１、４１…ドアパネル、１５、３６、４５…ドアストッパ、１６、３３、４４、４６…ドアフレーム、１７…前面部、１８、４２…側面部、１９…後面部、２０、３２、４３…折り返し部、２１、３７…切り欠き、２２…第１の直線部、２３…第２の直線部、２４、２５、４７…屈曲部、２６…流通孔、２７…詰め部材、２８、４８…ボルト、３４…平面部、３５…直立部。
【図１】
0004225441.tif 000002
【図２】
0004225441.tif 000003
【図３】
0004225441.tif 000004
【図４】
0004225441.tif 000005
【図５】
0004225441.tif 000006
【図６】
0004225441.tif 000007
【図７】
0004225441.tif 000008
【図８】
0004225441.tif 000009
【図９】
0004225441.tif 000010
【図１０】
0004225441.tif 000011
【図１１】
0004225441.tif 000012